(57)【要約】【課題】各種電子機器に用いられるレバースイッチに関し、小型化が図れ、確実な電気的接離が可能なものを提供することを目的とする。【解決手段】ケース１１に揺動可能に係止されたレバー１４下端の左右の外側突起部１４Ｄと１４Ｅを、中央突起部１４Ｃよりも短く形成し、摺動体１５を所定の位置までは中央突起部１４Ｃで、その後は短く形成された外側突起部１４Ｄや１４Ｅで移動させることによって、摺動体１５のケース１１内での移動量が少なくなると共に、この摺動体１５両端に押圧される可動接点１６の撓みも小さくなるため、左右方向の寸法を小さくし、スイッチ全体の小型化が図れると共に、可動接点１６と固定接点１３の確実な電気的接離が可能なレバースイッチを得ることができる。【選択図】図１
2011100626.tif 000002
【特許請求の範囲】
【請求項１】
内側壁に共通接点及び固定接点が植設された略箱形のケースと、このケースに揺動可能に係止され、下端に中央突起部と左右の外側突起部が形成されたレバーと、上記ケース内に左右方向へ移動可能に収納され、上面に上記中央突起部や外側突起部と噛合する突出部が形成された摺動体と、中央の接続部が上記共通接点に弾接し、両端の接触部が上記ケース内側壁または上記固定接点に弾接した可動接点からなり、上記レバー下端の外側突起部を上記中央突起部よりも短く形成したレバースイッチ。
【発明の詳細な説明】
【技術分野】
【０００１】
本発明は、各種電子機器において、主に記録媒体の有無やメカニズムの動作検出等に用いられるレバースイッチに関するものである。
【背景技術】
【０００２】
近年、パソコンや電子カメラ等の各種電子機器の小型化や高機能化が進むなか、これらのディスク等の記録媒体の有無、或いは扉の開閉等のメカニズムの動作検出等に用いられるレバースイッチにおいても、小型薄型で動作の確実なものが求められている。
【０００３】
このような従来のレバースイッチについて、図５〜図７を用いて説明する。
【０００４】
図５は従来のレバースイッチの断面図であり、同図において、１は前面開放で絶縁樹脂製の略箱形のケース、２は導電金属薄板製の共通接点、３は同じく固定接点で、ケース１下方の内側壁に共通接点２が、左右の内側壁に対向する一対の固定接点３が各々植設固定されている。
【０００５】
また、４は絶縁樹脂製のレバーで、略円弧状の支点部４Ａを支点として、ケース１上方に揺動可能に係止されると共に、上端の操作部４Ｂがケース１上面から上方へ突出し、下端には歯形状の中央突起部４Ｃと、この左右に中央突起部４Ｃと同じ長さで外側突起部４Ｄ及び４Ｅが並列に形成されている。
【０００６】
そして、５は絶縁樹脂製の摺動体で、ケース１内に左右方向へ移動可能に収納されると共に、上面にはレバー４下端の中央突起部４Ｃや外側突起部４Ｄ、４Ｅと噛合する、歯形状の一対の突出部５Ａと５Ｂが設けられている。
【０００７】
さらに、６は弾性金属薄板製の可動接点で、中央の接続部６Ａが略コの字状の付勢部６Ｂによって共通接点２に弾接すると共に、左右に延出した略Ｕ字状のアーム部６Ｃと６Ｄ内方には、摺動体５の左右両端が弾接している。
【０００８】
また、このやや撓んだ状態のアーム部６Ｃと６Ｄ先端には、接触部６Ｅと６Ｆが形成され、この接触部６Ｅと６Ｆがケース１左右の内側壁に弾接すると共に、これら可動接点６やレバー４、摺動体５等が収納されたケース１の前面を、板状のカバー（図示せず）等が覆って、レバースイッチが構成されている。
【０００９】
そして、このように構成されたレバースイッチが、上下面に複数の配線パターンが形成された配線基板（図示せず）上に載置され、ケース１から外方へ延出した共通接点２や固定接点３が、所定の配線パターンに半田付けされて、機器の電子回路（図示せず）に電気的に接続される。
【００１０】
以上の構成において、ディスク等の記録媒体の挿抜、或いは扉の開閉等が行われると、これらによってケース１上方から突出した操作部４Ｂが押圧され、レバー４が支点部４Ａを支点として、例えば図６の断面図に示すように、右方向へ揺動し、レバー４下端の中央突起部４Ｃが突出部５Ａを押圧するため、摺動体５が左方向へ移動する。
【００１１】
そして、摺動体５左端に押圧された可動接点６左方のアーム部６Ｃが撓み、この先端の接触部６Ｅがケース１左内側壁を下方向へ弾接摺動し、接触部６Ｅが左方の固定接点３に接触して、可動接点６を介して共通接点２と左方の固定接点３が電気的に接続される。
【００１２】
さらに、図７の断面図に示すように、レバー４が最後まで揺動した状態では、中央突起部４Ｃは突出部５Ａから外れ、外側突起部４Ｅが突出部５Ｂを押圧して、摺動体５がさらに左方向へ移動し、可動接点６のアーム部６Ｃがさらに大きく撓んだ状態となる。
【００１３】
そして、レバー４への押圧力が解除されると、アーム部６Ｃが撓められた可動接点６の弾性復帰力によって、接触部６Ｅが上方向へ弾接摺動して固定接点３から離れると共に、アーム部６Ｃに押圧されて摺動体５が右方向へ移動し、これによってレバー４が左方向へ揺動して、操作部４Ｂが図５に示した中立位置に復帰する。
【００１４】
なお、レバー４が左方向へ揺動した場合には、上記とは逆に摺動体５が右方向へ移動し、可動接点６右方のアーム部６Ｄが撓んで、接触部６Ｆがケース１右内側壁を下方向へ弾接摺動し、接触部６Ｆが右方の固定接点３に接触して、可動接点６を介して、共通接点２と右方の固定接点３の電気的接続が行われる。
【００１５】
また、このようなスイッチの電気的接離から、ディスク等の記録媒体の挿抜、或いは扉等の開閉等を、機器の電子回路が検出して、機器の様々な機能が動作するようになっている。
【００１６】
つまり、ディスク等の記録媒体の挿抜や扉等の開閉等によって、レバー４を右または左方向へ揺動させ、摺動体５を左または右方向へ移動させて、可動接点６のアーム部６Ｃまたは６Ｄを撓ませることで、共通接点２と左または右方の固定接点３の電気的接離を行うと共に、これらの電気的接離によって機器の電子回路が、ディスク等の記録媒体の有無、或いは扉の開閉等のメカニズムの動作等を検出するように構成されているものであった。
【００１７】
なお、この出願の発明に関連する先行技術文献情報としては、例えば、特許文献１が知られている。
【先行技術文献】
【特許文献】
【００１８】
【特許文献１】特開２００３−１３２７６５号公報
【発明の概要】
【発明が解決しようとする課題】
【００１９】
しかしながら、上記従来のレバースイッチにおいては、レバー４の揺動に伴って、摺動体５がケース１内を大きく左右方向へ移動するため、左右方向の寸法を小さくし、スイッチ全体の小型化を図ることが困難であると共に、アーム部６Ｃや６Ｄの撓みも大きくなり、レバー４を揺動する力も重いものになってしまうという課題があった。
【００２０】
本発明は、このような従来の課題を解決するものであり、小型化が図れ、確実な電気的接離が可能なレバースイッチを提供することを目的とする。
【課題を解決するための手段】
【００２１】
上記目的を達成するために本発明は、ケースに揺動可能に係止されたレバー下端の左右の外側突起部を、中央突起部よりも短く形成してレバースイッチを構成したものであり、摺動体を所定の位置までは中央突起部で、その後は短く形成された外側突起部で移動させることで、摺動体のケース内での移動量が少なくなると共に、この摺動体両端に押圧される可動接点の撓みも小さくなるため、左右方向の寸法を小さくし、スイッチ全体の小型化が図れると共に、可動接点と固定接点の確実な電気的接離が可能なレバースイッチを得ることができるという作用を有するものである。
【発明の効果】
【００２２】
以上のように本発明によれば、小型化が図れ、確実な電気的接離が可能なレバースイッチを実現することができるという有利な効果が得られる。
【図面の簡単な説明】
【００２３】
【図１】本発明の一実施の形態によるレバースイッチの断面図
【図２】同分解斜視図
【図３】同操作時の断面図
【図４】同操作時の断面図
【図５】従来のレバースイッチの断面図
【図６】同操作時の断面図
【図７】同操作時の断面図
【発明を実施するための形態】
【００２４】
以下、本発明の実施の形態について、図１〜図４を用いて説明する。
【００２５】
（実施の形態）
図１は本発明の一実施の形態によるレバースイッチの断面図、図２は同分解斜視図であり、同図において、１１は前面開放で液晶ポリマーやポリフェニレンサルファイド等の絶縁樹脂製の略箱形のケース、１２は銅合金等の導電金属薄板製の共通接点、１３は同じく固定接点で、ケース１１下方の内側壁に共通接点１２が、左右の内側壁に対向する一対の固定接点１３が、インサート成形等によって各々植設固定されている。
【００２６】
また、１４は液晶ポリマーやナイロン等の絶縁樹脂製のレバーで、略円弧状の支点部１４Ａを支点として、ケース１１上方に揺動可能に係止されると共に、上端の操作部１４Ｂがケース１１上面から上方へ突出し、下端には歯形状の中央突起部１４Ｃと、この左右に中央突起部１４Ｃよりも短く形成された外側突起部１４Ｄ及び１４Ｅが並列に設けられている。
【００２７】
そして、１５は液晶ポリマーやポリフェニレンサルファイド等の絶縁樹脂製の摺動体で、ケース１１内に左右方向へ移動可能に収納されると共に、上面にはレバー１４下端の中央突起部１４Ｃや外側突起部１４Ｄ、１４Ｅと噛合する、歯形状の一対の突出部１５Ａと１５Ｂが設けられている。
【００２８】
さらに、１６は銅合金等の弾性金属薄板製の可動接点で、中央の接続部１６Ａがやや撓んだ略コの字状の付勢部１６Ｂによって共通接点１２に弾接すると共に、左右に延出した略Ｕ字状のアーム部１６Ｃと１６Ｄ内方には、摺動体１５の左右両端が弾接している。
【００２９】
また、このやや撓んだ状態のアーム部１６Ｃと１６Ｄ先端には、略コの字状の接触部１６Ｅと１６Ｆが形成され、この接触部１６Ｅと１６Ｆがケース１１左右の内側壁に弾接している。
【００３０】
さらに、１７は鋼や銅合金等の板状のカバーで、このカバー１７が可動接点１６やレバー１４、摺動体１５等が収納されたケース１１の前面を覆って、レバースイッチが構成されている。
【００３１】
そして、このように構成されたレバースイッチが、上下面に複数の配線パターンが形成された配線基板（図示せず）上に載置され、ケース１１から外方へ延出した共通接点１２や固定接点１３が、所定の配線パターンに半田付けされて、機器の電子回路（図示せず）に電気的に接続される。
【００３２】
以上の構成において、ディスク等の記録媒体の挿抜、或いは扉の開閉等が行われると、これらによってケース１１上方から突出した操作部１４Ｂが押圧され、レバー１４が支点部１４Ａを支点として、例えば図３の断面図に示すように、右方向へ揺動し、レバー１４下端の中央突起部１４Ｃが突出部１５Ａを押圧するため、摺動体１５が左方向へ移動する。
【００３３】
そして、摺動体１５左端に押圧された可動接点１６左方のアーム部１６Ｃが撓み、この先端の接触部１６Ｅがケース１１左内側壁を下方向へ弾接摺動し、接触部１６Ｅが左方の固定接点１３に接触して、可動接点１６を介して共通接点１２と左方の固定接点１３が電気的に接続される。
【００３４】
さらに、図４の断面図に示すように、レバー１４が最後まで揺動した状態では、中央突起部１４Ｃは突出部１５Ａから外れ、これよりも短く形成された外側突起部１４Ｅが突出部１５Ｂを押圧して、摺動体１５がさらに左方向へ移動し、可動接点１６のアーム部１６Ｃがさらに大きく撓んだ状態となる。
【００３５】
なお、この時、外側突起部１４Ｅ先端のレバー１４の揺動中心からの寸法は、中央突起部１４Ｃ先端よりも短い寸法に形成されているため、この外側突起部１４Ｅによって突出部１５Ｂが押圧されてからの摺動体１５の移動量は、中央突起部１４Ｃによって突出部１５Ａが押圧されていた場合にくらべ、少ないものとなり、アーム部１６Ｃの撓みも小さなものとなる。
【００３６】
つまり、接触部１６Ｅが左方の固定接点１３に接触するまでの間は、摺動体１５が大きく移動してアーム部１６Ｃも大きく撓むが、接触部１６Ｅが固定接点１３に接触した後は、摺動体１５の移動は少なくなり、この摺動体１５左端に押圧されたアーム部１６Ｃの撓みも小さくなるようになっている。
【００３７】
そして、この状態からレバー１４への押圧力が解除されると、アーム部１６Ｃが撓められた可動接点１６の弾性復帰力によって、接触部１６Ｅが上方向へ弾接摺動して固定接点１３から離れると共に、アーム部１６Ｃに押圧されて摺動体１５が右方向へ移動し、これによってレバー１４が左方向へ揺動して、操作部１４Ｂが図１に示した中立位置に復帰する。
【００３８】
なお、レバー１４が左方向へ揺動した場合には、上記とは逆に摺動体１５が右方向へ移動し、可動接点１６右方のアーム部１６Ｄが撓んで、接触部１６Ｆがケース１１右内側壁を下方向へ弾接摺動し、接触部１６Ｆが右方の固定接点１３に接触して、可動接点１６を介して、共通接点１２と右方の固定接点１３の電気的接続が行われる。
【００３９】
また、この場合にも、接触部１６Ｆが右方の固定接点１３に接触するまでの間は、中央突起部１４Ｃが突出部１５Ｂを押圧して、摺動体１５が大きく右方向へ移動し、この後は、短く形成された外側突起部１４Ｄが突出部１５Ａを押圧して、摺動体１５の移動量が少なくなるようになっている。
【００４０】
そして、このようなスイッチの電気的接離から、ディスク等の記録媒体の挿抜、或いは扉等の開閉等を、機器の電子回路が検出して、機器の様々な機能の動作が行われる。
【００４１】
つまり、ディスク等の記録媒体の挿抜や扉等の開閉等によって、レバー１４を右または左方向へ揺動させ、摺動体１５を左または右方向へ移動させて、可動接点１６のアーム部１６Ｃまたは１６Ｄを撓ませることで、共通接点１２と左または右方の固定接点１３の電気的接離を行うと共に、これらの電気的接離によって機器の電子回路が、ディスク等の記録媒体の有無、或いは扉の開閉等のメカニズムの動作等を検出するように構成されている。
【００４２】
また、上述したように、レバー１４下端の左右の外側突起部１４Ｄと１４Ｅを、中央突起部１４Ｃよりも短く形成することによって、摺動体１５の移動量が少なくなると共に、この摺動体１５両端に押圧される可動接点１６のアーム部１６Ｃや１６Ｄの撓みも小さくなるため、この分だけケース１１の左右方向の寸法を小さく形成できるようになっている。
【００４３】
すなわち、摺動体１５を所定の位置、接触部１６Ｅや１６Ｆが左方や右方の固定接点１３に接触するまでの間は、中央突起部１４Ｃで、その後は短く形成された外側突起部１４Ｄや１４Ｅで移動させることによって、ケース１１内での摺動体１５の移動量が少なくなるため、ケース１１の左右方向の寸法を小さくし、スイッチ全体の小型化を図ることが可能なように構成されている。
【００４４】
さらに、接触部１６Ｅや１６Ｆが固定接点１３に接触する所定の位置までは、中央突起部１４Ｃによって摺動体１５を大きく移動させて、可動接点１６のアーム部１６Ｃや１６Ｄを大きく撓ませることで、接触部１６Ｅや１６Ｆが固定接点１３に接触する力、いわゆる接点圧力が減じることのないようになっているため、可動接点１６と固定接点１３の確実な電気的接離が行えるようになっている。
【００４５】
このように本実施の形態によれば、ケース１１に揺動可能に係止されたレバー１４下端の左右の外側突起部１４Ｄと１４Ｅを、中央突起部１４Ｃよりも短く形成し、摺動体１５を所定の位置までは中央突起部１４Ｃで、その後は短く形成された外側突起部１４Ｄや１４Ｅで移動させることによって、摺動体１５のケース１１内での移動量が少なくなると共に、この摺動体１５両端に押圧される可動接点１６の撓みも小さくなるため、左右方向の寸法を小さくし、スイッチ全体の小型化が図れると共に、可動接点１６と固定接点１３の確実な電気的接離が可能なレバースイッチを得ることができるものである。
【００４６】
なお、以上の説明では、レバー１４を揺動すると、接触部１６Ｅや１６Ｆがケース１１内側壁を下方向へ弾接摺動し、固定接点１３に接触する構成について説明したが、レバー１４が中立位置の状態で、接触部１６Ｅや１６Ｆが固定接点１３に弾接し、レバー１４の揺動によって固定接点１３から離れ、電気的に切断される構成としても、本発明の実施は可能である。
【産業上の利用可能性】
【００４７】
本発明によるレバースイッチは、小型化が図れ、確実な電気的接離が可能なものを得ることができ、主に各種電子機器に使用される検出用スイッチとして有用である。
【符号の説明】
【００４８】
１１  ケース
１２  共通接点
１３  固定接点
１４  レバー
１４Ａ  支点部
１４Ｂ  操作部
１４Ｃ  中央突起部
１４Ｄ、１４Ｅ  外側突起部
１５  摺動体
１５Ａ、１５Ｂ  突出部
１６  可動接点
１６Ａ  接続部
１６Ｂ  付勢部
１６Ｃ、１６Ｄ  アーム部
１６Ｅ、１６Ｆ  接触部
１７  カバー
【図１】
2011100626.tif 000003
【図２】
2011100626.tif 000004
【図３】
2011100626.tif 000005
【図４】
2011100626.tif 000006
【図５】
2011100626.tif 000007
【図６】
2011100626.tif 000008
【図７】
2011100626.tif 000009